【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
第２経路に及び信号有効範囲が不十分な領域に配置された第２ヴィークルと関連した乗客が使用できるようにするため、信号を第２ヴィークルに提供するための方法において、
信号有効範囲を利用できる領域内で、第１経路にある第１ヴィークルに配置された第１送信器／受信器で信号を受信する工程、
前記第１送信器／受信器が受信した信号を、前記第２経路にあり且つ信号有効範囲が不十分な領域にある前記第２ヴィークルに配置された第２送信器／受信器に送信する工程、及び
信号を前記第２送信器／受信器で受信する工程を含む、方法。
【請求項２】
請求項１に記載の方法において、さらに、
信号有効範囲が通信ネットワークを形成するには不十分な領域内の経路を横切るヴィークル間で、信号を、これらのヴィークルの各々が信号を受信できるように送信する工程を含む、方法。
【請求項３】
請求項２に記載の方法において、
ヴィークル間で信号を送信するための前記工程は、信号有効範囲を利用できない領域内の各ヴィークルが行う必要がなく、そのため少なくとも一方のヴィークルが信号を受信せず且つ信号を再送信しない、方法。
【請求項４】
請求項１に記載の方法において、
前記信号は、生ビデオ番組信号、対話式サービス信号、及び通信信号のうちの任意の一つの信号である、方法。
【請求項５】
請求項１に記載の方法において、
前記第２送信器／受信器で信号を受信する前記工程は、放送衛星有効範囲を利用できない領域にある航空機に配置された前記第２送信器／受信器で生ビデオ番組信号を受信する工程を含む、方法。
【請求項６】
請求項５に記載の方法において、
前記放送衛星有効範囲を利用できない領域は、大洋又は海の上空であり、
前記第１及び第２のヴィークルは、通信ネットワークを形成するため、軌道に沿って大洋又は海を横切って飛行する移動航空機である、方法。
【請求項７】
乗客用第３ヴィークルと直接的に通信できない情報源から乗客用第３ヴィークルに情報を提供し、情報ネットワークを形成する方法において、
情報を含む情報信号を前記情報源から送信する工程、
前記情報源の信号有効範囲内にある乗客用第１ヴィークルに配置された第１送信器／受信器ユニットで、前記情報信号を受信する工程、
前記第１送信器／受信器ユニットで前記情報信号を乗客用第２ヴィークルに送信する工程、
乗客用第２ヴィークルに配置された第２送信器／受信器ユニットで、前記情報信号を受信する工程、
前記情報信号を前記第２送信器／受信器ユニットで前記乗客用第３ヴィークルに送信する工程、及び
前記情報信号を、前記乗客用第３ヴィークルに配置された第３送信器／受信器ユニットで、受信する工程を含む、方法。
【請求項８】
情報を、乗客用第３ヴィークルから、この第３ヴィークルが直接通信できない場所にある目的地に提供する方法において、
情報を含む情報信号を、前記乗客用第３ヴィークルに配置された送信器で送信する工程、
前記情報信号を、乗客用第１ヴィークルに配置された第１送信器／受信器ユニットで受信する工程、
前記情報信号を、前記第１送信器／受信器ユニットで送信する工程、
前記情報信号を、前記目的地の通信範囲内にある乗客用第２ヴィークルに配置された第２送信器／受信器ユニットで受信する工程、
前記情報信号を、前記第２送信器／受信器ユニットで送信する工程、及び
前記情報信号を、前記目的地にある受信器で受信する工程を含む、方法。
【請求項９】
請求項７に記載の方法において、さらに、
前記情報源と前記第３ヴィークルとの間に前記情報信号を提供するため、少なくとも一つの追加の送信器／受信器ユニットで、前記情報信号を受信する工程及び前記情報信号を送信する工程を繰り返す工程を含む、方法。
【請求項１０】
請求項８に記載の方法において、さらに、
前記第３ヴィークルと目的地との間に前記情報信号を提供するため、少なくとも一つの追加の送信器／受信器ユニットで、前記情報信号を受信する工程及び前記情報信号を送信する工程を繰り返す工程を含む、方法。
【請求項１１】
請求項９又は１０に記載の方法において、
少なくとも一つの追加の送信器／受信器ユニットが、定置のプラットホームに配置されている、方法。
【請求項１２】
請求項９又は１０に記載の方法において、
前記少なくとも一つの追加の送信器／受信器ユニットが、第４ヴィークルに配置されている、方法。
【請求項１３】
請求項７又は８に記載の方法において、
前記第３ヴィークルは、非現存通信チャンネルが存在する領域にある、方法。
【請求項１４】
請求項７又は８に記載の方法において、
前記第３ヴィークルは、現存の通信チャンネルが存在する領域に配置されている、方法。
【請求項１５】
請求項７に記載の方法において、
前記情報信号は、ビデオ番組信号を含む、方法。
【請求項１６】
請求項７又は８に記載の方法において、
前記情報信号は、前記第３ヴィークル用の保守情報を含む、方法。
【請求項１７】
請求項７又は８に記載の方法において、
前記情報信号は、前記第３ヴィークルの位置情報を含む、方法。
【請求項１８】
請求項７又は８に記載の方法において、
前記情報信号は、前記第３ヴィークルの乗客の生命に関する情報を含む、方法。
【請求項１９】
請求項７又は８に記載の方法において、
前記情報信号は、インターネットと関連したデータを含む、方法。
【請求項２０】
請求項７又は８に記載の方法において、
前記情報信号は、遠距離通信データを含む、方法。
【請求項２１】
請求項９又は１０に記載の方法において、
少なくとも一つの追加の送信器／受信器ユニットの各々は、定置プラットホームに配置されている、方法。
【請求項２２】
請求項９又は１０に記載の方法において、
少なくとも一つの追加の送信器／受信器ユニットの各々は、夫々のヴィークルに配置されている、方法。
【請求項２３】
請求項２２に記載の方法において、
前記受信工程及び送信工程は、移動線に沿って移動するヴィークル間の移動線に沿った信号路に沿って行われる、方法。
【請求項２４】
請求項７又は８に記載の方法において、
前記ヴィークルは、軌道に沿って飛行する夫々の航空機であり、
前記信号路は、前記情報信号用スカイネットワークを形成するため、前記軌道に沿った前記夫々の航空機間にある、方法。
【請求項２５】
請求項７又は８に記載の方法において、
前記ヴィークルは、経路に沿って移動する地上ヴィークルであり、
前記信号路は、前記情報信号用ネットワークを形成するため、前記経路に沿った前記地上ヴィークル間にある、方法。
【請求項２６】
請求項７又は８に記載の方法において、
前記情報信号を伝達する前記工程は、前記情報信号を焦合送信パターンで夫々の送信器／受信器ユニットに送信することによって行われる、方法。
【請求項２７】
請求項７又は８に記載の方法において、
前記情報信号を送信する工程は、前記情報信号を全方向性のパターンで送信することによって行われる、方法。
【請求項２８】
請求項９又は１０に記載の方法において、
前記少なくとも一つの追加の送信器／受信器ユニットは、衛星に配置されている、方法。
【請求項２９】
乗客用第１ヴィークルが情報源又は目的地と直接的に通信できない場合に、乗客用第１ヴィークルと情報源又は目的地との間に情報ネットワークを形成するため、情報を乗客用第１ヴィークルに提供し且つこのヴィークルから受け取るシステムにおいて、
乗客用第１ヴィークルに配置できる第１送信器／受信器ユニット、
前記第１送信器／受信器ユニットに連結できる第１アンテナ、
前記情報信号を受信し且つこの情報信号を再送信する、前記情報源又は目的地と通信できる領域に配置された乗客用第２ヴィークルに配置できる第２送信器／受信器ユニット、
前記第２送信器／受信器ユニットに連結できる第２アンテナ、及び
前記第２ヴィークルと前記第１ヴィークルとの間に前記情報信号を提供するため前記情報信号を受信し送信する、少なくとも乗客用第３ヴィークルに配置できる少なくとも一つの追加の送信器／受信器ユニットを含む、システム。
【請求項３０】
請求項２９に記載のシステムにおいて、
前記第１ヴィークルは、非現存通信チャンネルが存在する領域にある、システム。
【請求項３１】
請求項２９に記載のシステムにおいて、
前記第１ヴィークルは、現存通信チャンネルが存在する領域にある、システム。
【請求項３２】
請求項２９に記載のシステムにおいて、
前記情報信号は、ビデオ番組信号を含む、システム。
【請求項３３】
請求項２９に記載のシステムにおいて、
前記情報は、前記第１ヴィークル用の保守情報を含む、システム。
【請求項３４】
請求項２９に記載のシステムにおいて、
前記情報は、前記第１ヴィークルの位置情報を含む、システム。
【請求項３５】
請求項２９に記載のシステムにおいて、
前記情報は、前記第１ヴィークルの乗客の生命に関する情報を含む、システム。
【請求項３６】
請求項２９に記載のシステムにおいて、
前記情報は、インターネット関連データを含む、システム。
【請求項３７】
請求項２９に記載のシステムにおいて、
前記情報は、遠距離通信データを含む、システム。
【請求項３８】
請求項２９に記載のシステムにおいて、さらに、
前記情報信号を前記第１ヴィークルと前記情報源又は目的地との間に提供するため、前記情報信号を受信し、また、前記情報信号を送信する、各々が定置プラットホームに配置された、複数の送信器／受信器ユニットを含む、システム。
【請求項３９】
請求項２９に記載のシステムにおいて、さらに、
前記情報信号を前記第１ヴィークルと前記情報源又は目的地との間に提供するため、前記情報信号を受信し、また、前記情報信号を送信する、各々がヴィークルに配置された、複数の送信器／受信器ユニットを含む、システム。
【請求項４０】
請求項３９に記載のシステムにおいて、
各ヴィークルは経路に沿って移動し、
前記複数の送信器／受信器ユニットの各々は、前記ヴィークルの各々の間で前記情報信号を経路に沿って受信し送信する、システム。
【請求項４１】
請求項３９に記載のシステムにおいて、
前記ヴィークルの各々は、軌道に沿って移動する航空機であり、
形成された前記情報ネットワークは、前記情報信号用のスカイネットワークである、システム。
【請求項４２】
請求項３９に記載のシステムにおいて、
各ヴィークルは、地上ヴィークルであり、
形成された前記情報ネットワークは、前記情報信号用の地上ネットワークである、システム。
【請求項４３】
請求項２９に記載のシステムにおいて、
前記第１及び第２のアンテナは、焦合送信及び受信パターンを有する、システム。
【請求項４４】
請求項２９に記載のシステムにおいて、
前記第１及び第２のアンテナは、全方向性の送信及び受信パターンを有する、システム。
【請求項４５】
請求項７に記載の方法において、
前記第２ヴィークルは、前記情報源の信号有効範囲領域内にない、方法。
【請求項４６】
請求項８に記載の方法において、
前記第１ヴィークルは、目的地の通信範囲内にない、方法。